(57)【特許請求の範囲】
【請求項１】
工事中の建物における電気配線構造であって、
前記建物の外部に設けられ、引込線を受ける仮設電柱と、
前記仮設電柱から、電力量計ボックスの受け台の通線孔を経由して、前記建物内部の所定位置まで配線された本設幹線と、
前記建物内部に配置され、前記本設幹線の末端に接続された分電盤と、
前記分電盤から前記建物内部の所定の位置まで配線された本設分岐線と、
前記本設分岐線の末端に接続されたコンセントと、を備えることを特徴とする電気配線構造。
【請求項２】
前記コンセントが、間仕切り壁で区画される各居室ごとに設けられたことを特徴とする請求項１記載の電気配線構造。
【請求項３】
前記建物が複数の階層を有し、前記コンセントが各階層に設けられたことを特徴とする請求項１または２記載の電気配線構造。
【請求項４】
前記本設分岐線は、本設時の専用回路線であることを特徴とする請求項１〜３の何れか一項記載の電気配線構造。
【請求項５】
建物の躯体工事及び防水工事の完了後に、電力量計ボックスの受け台の通線孔を経由して前記建物内部の所定位置まで配線された本設幹線、前記本設幹線の末端に接続された分電盤、前記分電盤から分岐された本設分岐線、及び前記本設分岐線の末端に接続されたコンセントを配設すると共に、前記本設幹線を、前記建物の外部に設けられた仮設電柱を介して引込線と接続する第１の工程と、
前記本設幹線、前記本設分岐線及び前記コンセントから、前記建物の内部工事に必要な機器に電気を供給し、内部工事を行う第２の工程と、
前記本設幹線及び前記本設分岐線を利用して、前記建物内部及び外部の本設電気工事を行う第３の工程と、を有することを特徴とする建物の施工方法。
【請求項６】
前記コンセントが、間仕切り壁で区画される各居室ごとに設けられたことを特徴とする請求項５記載の建物の施工方法。
【請求項７】
前記建物が複数の階層を有し、前記コンセントが各階層に設けられたことを特徴とする請求項５または６記載の建物の施工方法。
【請求項８】
前記本設分岐線は、本設時の専用回路線であることを特徴とする請求項５〜７の何れか一項記載の建物の施工方法。
【請求項９】
前記本設幹線は、前記第１の工程で、電力量計ボックスの受け台の通線孔に通線されたことを特徴とする請求項５〜８の何れか一項記載の建物の施工方法。
【発明の詳細な説明】
【技術分野】
【０００１】
本発明は、電気配線構造、及び建物の施工方法に関する。
【背景技術】
【０００２】
従来より、住宅等の比較的小規模な建物の建築工事で電気を使用する場合、工事中の敷地内にブレーカーとコンセントを内蔵する電気ボックスを備えた仮設電柱を立て、これに敷地外からの引込線を接続し、電気ボックス内のコンセントにドラムコード等の延長コードを接続して使用するのが一般的である（例えば、図３を参照）。建物の躯体が完成し、外壁、玄関ドア、サッシ等が取り付けられ、建物内部の工事に入ると、延長コードは玄関ドアやサッシから建物内部に引き込まれて使用される。建物の竣工間際に仮設電柱は撤去されて、引込線は建物外壁面等に設置された電力量計に接続される。
【０００３】
また、特許文献１には、コネクタ接続により、使い回しが容易な仮設分電盤の記載がある。特許文献１では、所定の階に幹線からコネクタを予め引き出しておき、当該階に分電盤を設置するときに、幹線のコネクタと、分電盤のコネクタとを接続している。
【先行技術文献】
【特許文献】
【０００４】
【特許文献１】特開２００２−０１０４１４号公報
【発明の概要】
【発明が解決しようとする課題】
【０００５】
上述の仮設電柱と延長コードを使用した図３に示すような建築工事には以下のような問題がある。すなわち、工事の開始、終了の度に延長コードを接続したり外したりする必要があり、手間がかかる。また、延長コードがドアやサッシを経由するので、養生（延長コードがドアやサッシに挟まれて破損しないように行う養生、サッシが樹脂サッシの場合にサッシが傷つかないように行う養生）を行う必要があり、手間がかかる。更に、延長コードが延々と床を這うので、見苦しく、清掃の邪魔にもなり、つまづいて怪我をする可能性もある。特に、建物が複数の階層を有する場合や、内部工事が進み居室を区画する間仕切り壁ができ上がってくると、この問題は顕著になり、更に、複数の作業者が電動工具等を使って作業する場合、タコ足配線とせざるをえず、当該問題がより顕著になる。
【０００６】
また、特許文献１においても、幹線自体がコネクタを備えた仮設のものであり、竣工後に撤去する手間が発生する。また、仮設分電盤に電動工具がどのように接続されるのかも不明であり、実現性という面で問題がある。
【０００７】
本発明は、このような課題を解決するためになされたものであり、作業効率を向上することができる電気配線構造、及び建物の施工方法を提供することを目的とする。
【課題を解決するための手段】
【０００８】
本発明に係る電気配線構造は、工事中の建物における電気配線構造であって、建物の外部に設けられ、引込線を受ける仮設電柱と、仮設電柱から、電力量計ボックスの受け台の通線孔を経由して、建物内部の所定位置まで配線された本設幹線と、建物内部に配置され、本設幹線の末端に接続された分電盤と、分電盤から建物内部の所定の位置まで配線された本設分岐線と、本設分岐線の末端に接続されたコンセントと、を備えることを特徴とする。
【０００９】
また、本発明に係る建物の施工方法は、建物の躯体工事及び防水工事の完了後に、電力量計ボックスの受け台の通線孔を経由して建物内部の所定位置まで配線された本設幹線、本設幹線の末端に接続された分電盤、分電盤から分岐された本設分岐線、及び本設分岐線の末端に接続されたコンセントを配設すると共に、本設幹線を、建物の外部に設けられた仮設電柱を介して引込線と接続する第１の工程と、本設幹線、本設分岐線及びコンセントから、建物の内部工事に必要な機器に電気を供給し、内部工事を行う第２の工程と、本設幹線及び本設分岐線を利用して、建物内部及び外部の本設電気工事を行う第３の工程と、を有することを特徴とする。
【００１０】
本発明に係る電気配線構造及び建物の施工方法によれば、引込線、仮設電柱、本設幹線、及び本設分岐線を介して、コンセントから電気を供給することが可能となる。建物の外部の仮設電柱から、ドラムコード等を用いて電源を建物内部まで引き込む必要がないので、工事開始の度に外に出て外部の仮設電気ボックスにつなぐことが不要となり、玄関ドアやサッシの養生も不要となる。また、ドラムコード等を用いる場合に比して、建物内部にコードが這わないので、見栄えがよく、建物内の清掃もし易く、コードにつまづくことも防止でき安全性を向上することができる。また、本設幹線や本設分岐線を本設用としてそのまま使用可能となるので配線が無駄にならない。以上によって、作業効率を向上することができる。
【００１１】
また、本発明に係る電気配線構造及び建物の施工方法では、コンセントが、間仕切り壁で区画される各居室ごとに設けられることが好ましい。各居室ごとにコンセントを備えているので、間仕切り壁で区角されたのち、ドラムコードを持って（長いコードをひきずりながら）居室間を移動する必要がなく労力が低減でき、コードの絡みや引っ掛かりなどによるロスも低減できる。また、見栄え、建物内の清掃性、安全性を更に高めることができる。
【００１２】
また、本発明に係る電気配線構造及び建物の施工方法では、建物が複数の階層を有し、コンセントが各階層に設けられたことが好ましい。各階層にコンセントを備えているので、ドラムコードを持って（長いコードをひきずりながら）上下階を移動する必要がなく労力が低減でき、コードの絡みや引っ掛かりによるロスも低減できる。また、階段にコードが這わないので更に安全である。
【００１３】
また、本発明に係る電気配線構造及び建物の施工方法では、本設分岐線は、本設時の専用回路線であることが好ましい。これによれば、専用回路線として使用される分岐線を使用することで、他のコンセントや分岐線と絡むことがなく、コンセントの本設（交換）時の手間が省ける。
【００１４】
また、本発明に係る電気配線構造及び建物の施工方法では、本設幹線は、本設前に、電力量計ボックスの受け台の通線孔に通線されたことが好ましい。これによれば、電力量計設置の際に幹線を切断してつなぎ替える手間が省ける。電力量計ボックスの受け台（すなわち、電力量計ボックスを外壁に固定する為のベース部分）は、外壁目地部のシーリング打設や外壁塗装等の外部工事（この工事は、例えば、内部工事と並行して進められる）の工事後、且つ、「仮設」から「本設」への変更（すなわち、線のつなぎ換え）の前に外壁に取り付ける必要がある。一方で、内部工事が行われている間は仮設電力を常に使えるようにしておくことが求められる。従って、受け台の通線孔に本設幹線を通しておくことによって、仮設の電気配線構造における電力量計ボックスの受け台の取り付け工事を上記期間内に、いつでも、仮設電力の供給を中断することなく行うことができ、工事日の調整をし易くなる。
【発明の効果】
【００１５】
本発明によれば、作業効率を向上することができる。
【図面の簡単な説明】
【００１６】
【図１】本発明の実施形態に係る電気配線構造を示すモデル図である。
【図２】本設後の建物の様子を示すモデル図である。
【図３】従来の電気配線構造を示すモデル図である。
【発明を実施するための形態】
【００１７】
以下、図面を参照しつつ、本発明に係る電気配線構造、及び建物の施工方法の実施形態について詳細に説明する。なお、図面の説明において同一の要素には同一の符号を付し、重複する説明を省略する。
【００１８】
図１は、工事中の建物１００における、電気配線構造１を示す模式図である。この電気配線構造１は、建物１００の躯体工事及び防水工事が完了した後に、当該建物１００の内部工事をする際に構築されるものである。図１に示すように、電気配線構造１は、建物１００の外部であって敷地内に設けられた仮設電柱２と、仮設電柱２に設けられた仮設電気ボックス３と、仮設電気ボックス３から建物１００の内部まで配線された本設幹線４と、本設幹線４の末端に接続された分電盤６と、分電盤から建物１００内の所定の位置まで配線された本設分岐線７と、本設分岐線７の末端に接続されたコンセント８と、を備えている。
【００１９】
仮設電柱２は、建物１００の工事中に、外部から電力を確保するためのものであり、仮設電気ボックス３が設けられている。敷地外の電柱ＥＰからは、敷地内へ電気を引っ張るための引込線９が引き出されている。仮設電柱２は、引込線９を受けており、当該引込線９を仮設電気ボックス３に接続している。
【００２０】
本設幹線４は、敷地外側の末端が仮設電気ボックス３に接続され、敷地内側の末端が分電盤６に接続されている。本設幹線４は、建物１００の外側において、仮設電気ボックス３から建物１００の外壁１００ａの外壁引き込み部（電力量計ボックス１１が設けられる位置）まで延ばされた外部配線部４Ａと、外壁１００ａの外壁引き込み部（電力量計ボックス１１が設けられる位置）から分電盤６の位置まで延ばされた室内配線部４Ｂと、を有している。これによって、本設幹線４は、仮設電柱２から、外壁引き込み部を経由し、新築用の幹線を利用した室内配線部４Ｂを介して建物１００内部の分電盤６の位置まで配線される。本設幹線４の外部配線部４Ａは、ＣＤ管で保護し、作業の妨げにならないように、足場にくくっておくか、建物１００の直近部分の地上を這わしておくことが好ましい。
【００２１】
本設幹線４は、本設前に、電力量計ボックス１１の受け台１１ａの通線孔に予め通線しておくことが好ましい。この状態では、受け台１１ａは、外壁１００ａから離しておき、ダンボール箱のような箱体１２で覆って保護しておくことが好ましい。当該箱体１２は、足場などに固定しておく。外壁１００ａの塗装作業が終わった後に、箱体１２を解体して受け台１１ａを取り出す。
【００２２】
分電盤６は、本設幹線４からの電力を各部屋、各階層へ本設分岐線７を介して分岐させるためのものである。分電盤６として、新築用分電盤を用いてもよいが、仮設用のものとして仮分岐盤を用いてもよい。仮分岐盤を用いる場合、分電盤６は、例えば、板部材に子ブレーカーを複数取り付けることによって構成される。この子ブレーカーを介して、各部屋、各階層へ向かう本設分岐線７が接続される。板部材は、難燃性の合成樹脂成形品、または木製のものが好ましい。各回路には、配線用遮断器を設置しておくことが好ましい。分電盤６は、一階１００Ａの天井側の梁に固定しておくか、梁からぶら下げておく。
【００２３】
本設分岐線７は、一階１００Ａの分電盤６から、各部屋、各階層の所定の位置まで配線されている。本設分岐線７の末端には、コンセント８が接続されている。コンセント８は、建物１００の各階層１００Ａ，１００Ｂ，１００Ｃに設けられている。また、コンセント８は、間仕切り壁Ｗで区画される各居室に設けられている。このコンセント８は、建物１００の完成時の室内のコンセントに対応する位置に配置されることが好ましい。また、本設分岐線７は、本設時の専用回路線であることが好ましい。これにより、本設前の電気配線構造１の本設分岐線７の這い回しの位置関係を変更することなく、そのまま建物１００の完成時の這い回しとして用いることができる。コンセント８として、新築専用コンセントに代えて、仮コンセントを用いることが好ましい。コンセント８は、板材などに固定しておいてもよく、ぶら下げておいてもよい。
【００２４】
次に、上述の電気配線構造１を用いた建物１００の施工方法について説明する。
【００２５】
まず、電気配線構造１を構築する工程を実行する（第１の工程）。この工程は、建物１００の躯体工事及び防水工事の完了後に行われる。この工程では、建物１００内部に、本設幹線４、本設幹線４から分電盤６を介して分岐された本設分岐線７、及び本設分岐線７の末端に接続されたコンセント８を配設すると共に、本設幹線４を仮設電柱２を介して引込線９と接続する。このとき、電力量計ボックス１１の受け台１１ａの通線孔に本設幹線４を通線しておく。
【００２６】
具体的には、一階１００Ａに分電盤６を配置すると共に、当該分電盤６と本設分岐線７を接続し、本設分岐線７の末端がコンセント８の位置に来るように引き延ばす。本設分岐線７の末端に、コンセント８を接続する。本設幹線４の外部配線部４ＡをＣＤ管などで覆いながら配線し、受け台１１ａの通線孔に通線して、室内の分電盤６に接続する。この状態で、引込線９を仮設電柱２で受けて仮設電気ボックス３と接続する。これによって、電気配線構造１が構築される。
【００２７】
次に、電気配線構造１を用いて内部工事を行う工程を実行する（第２の工程）。各階層、各居室に配置されたコンセント８の何れかに電気機器のプラグを挿入し、当該電気機器に引込線９、本設幹線４、分電盤６、本設分岐線７を介して電気を供給する。これによって、作業者は、各階層、各居室にて電気機器を用いた内部工事を行うことが可能となる。一の居室において内部工事が完了したら、コンセント８から電気機器のプラグを外し、次の居室へ移動し、当該居室に配置されたコンセント８を用いて内部工事を行う。内部工事では、木下地の、壁・天井のボード貼り、クロス貼り・スイッチ・コンセント、照明器具等の取り付けなどの作業が行われる。また、分電盤６やコンセント８として仮設用のものが用いられていた場合、新築用のものと交換される。
【００２８】
なお、外壁目地部のシーリング打設や外壁塗装等の外部工事は、前述の第１の工程と並行して、または第２の工程と並行して、あるいは第１の工程及び第２の工程の両方と並行して実行される。電力量計ボックス１１の受け台１１ａは、この外部工事の後であり、且つ、後述の第３の工程の前に、外壁１００ａに取り付けられる。
【００２９】
内部工事が完了した後、本設幹線４及び本設分岐線７を利用して、建物１００内部及び外部の本設電気工事を行う（第３の工程）。図２に示すように、本設分岐線７は、前工程で用いられていた位置関係をそのまま流用できる。本設幹線４は、前工程で用いられていた室内配線部４Ｂの位置関係をそのまま流用できる。本設幹線４の外部配線部４Ａは、仮設電気ボックス３から外されて、建物１００に設けられた電気を引き込むための引込部Ｃに接続される。また、引込線９も仮設電気ボックス３から外されて、引込部Ｃに接続される。電力量計ボックス１１が受け台１１ａに取り付けられ、外壁１００ａに固定される。仮設電柱２及び仮設電気ボックス３は敷地内から取り外される。以上によって、建物１００が完成する。
【００３０】
次に、本実施形態に係る電気配線構造１、及び建物１００の施工方法の作用・効果について説明する。
【００３１】
まず、比較のために従来の方法について説明する。図３に示すように、建物１００の外部に設けられた仮設電柱２に敷地外からの引込線９を接続する。この仮設電柱２の仮設電気ボックス３に、ドラムコードＥＣ等の延長コードを接続して使用する。建物の躯体が完成し、外壁、玄関ドア、サッシ等が取り付けられ、建物内部の工事に入ると、ドラムコードＥＣはドラムＤＲごと、玄関ドアやサッシから建物内部に引き込まれて使用される。このドラムコードＥＣに、内部工事用の電気機器が接続され、電力の供給を受ける。この作業では、ドラムコードＥＣのみが用いられ、本設幹線４、分電盤６、本設分岐線７は、当該作業時には用いられない。建物の竣工間際に仮設電柱２は撤去されて、引込線９は外壁１００ａに設置された電力量計ボックス１１に接続される。
【００３２】
このような従来の方法によれば、以下のような問題がある。すなわち、工事の開始、終了の度にドラムコードＥＣを接続したり外したりする必要があり、手間がかかる。また、ドラムコードＥＣがドアやサッシを経由するので、養生（ドラムコードＥＣがドアやサッシに挟まれて破損しないように行う養生、サッシが樹脂サッシの場合にサッシが傷つかないように行う養生）を行う必要があり、手間がかかる。更に、ドラムコードＥＣが延々と床を這うので、見苦しく、清掃の邪魔にもなり、つまづいて怪我をする可能性もある。特に、建物１００が複数の階層を有する場合や、内部工事が進み居室を区画する間仕切り壁Ｗができ上がってくると、この問題は顕著になり、更に、複数の作業者が電動工具等を使って作業する場合、タコ足配線とせざるをえず、当該問題がより顕著になる。
【００３３】
一方、本実施形態に係る電気配線構造１及び建物１００の施工方法によれば、建物１００の外部の仮設電柱２から、ドラムコードＥＣを用いて電源を建物内部まで引き込む必要がないので、工事開始の度に外に出て外部の仮設電気ボックス３につなぐことが不要となり、玄関ドアやサッシの養生も不要となる。また、ドラムコードＥＣ等を用いる場合に比して、建物内部にコードが這わないので、見栄えがよく、建物１００内の清掃もし易く、コードにつまづくことも防止でき安全性を向上することができる。また、本設幹線４や本設分岐線７を本設用としてそのまま使用可能となるので配線が無駄にならない。以上によって、作業効率を向上することができる。
【００３４】
また、コンセント８が、間仕切り壁Ｗで区画される各居室に設けられる。各居室にコンセント８を備えているので、間仕切り壁Ｗで区角されたのち、ドラムＤＲを持って（長いコードＥＣをひきずりながら）居室間を移動する必要がなく労力が低減でき、コードの絡みや引っ掛かりなどによるロスも低減できる。また、見栄え、建物内の清掃性、安全性を更に高めることができる。
【００３５】
また、建物１００が複数の階層を有し、コンセント８が各階層に設けられる。各階層にコンセント８を備えているので、ドラムＤＲを持って（長いコードＥＣをひきずりながら）上下階を移動する必要がなく労力が低減でき、コードの絡みや引っ掛かりによるロスも低減できる。また、階段にコードが這わないので更に安全である。
【００３６】
また、本設分岐線７は、本設時の専用回路線である。これによれば、専用回路線として使用される分岐線を使用することで、他のコンセントや分岐線と絡むことがなく、コンセントの本設（交換）時の手間が省ける。
【００３７】
また、本設幹線４は、本設前に、電力量計ボックス１１の受け台１１ａの通線孔に通線さるこれによれば、電力量計設置の際に幹線を切断してつなぎ替える手間が省ける。電力量計ボックス１１の受け台１１ａ（すなわち、電力量計ボックス１１を外壁１００ａに固定する為のベース部分）は、外壁目地部のシーリング打設や外壁塗装等の外部工事の工事後、且つ、「仮設」から「本設」への変更（線のつなぎ換え）の前に外壁１００ａに取り付ける必要がある。一方で、内部工事が行われている間は仮設電力を常に使えるようにしておくことが求められる。従って、受け台１１ａの通線孔に本設幹線４を通しておくことによって、仮設の電気配線構造１における電力量計ボックス１１の受け台１１ａの取り付け工事を上記期間内に、いつでも、仮設電力の供給を中断することなく行うことができ、工事日の調整をし易くなる。
【００３８】
本発明は、上述の実施形態に限定されるものではない。例えば、上述で示した配線などの位置関係は一例に過ぎず、工事対象となる建物に応じて適宜変更してよい。
【符号の説明】
【００３９】
１…電気配線構造、２…仮設電柱、３…仮設電気ボックス、４…本設幹線、６…分電盤、７…本設分岐線、８…コンセント、９…引込線、１１…電力量計ボックス、１１ａ…受け台、１００…建物。
【図１】
0005856804.tif 000002
【図２】
0005856804.tif 000003
【図３】
0005856804.tif 000004